(57)【要約】【課題】本発明は、ＯＣＲの読み取り結果に起きる誤読を自動訂正し、ＯＣＲ記入シートの読み取り結果をより正確にする注文カードのＯＣＲ読み取り結果自動訂正システムの提供を目的とする。【解決手段】本発明は、当該会社のＯＣＲシート１の記入項目に関連する商品マスタコードをデータベース３に格納する手段と、自動訂正プログラムによりＯＣＲによる読み取り後のデータと前記データベース３に格納される商品マスタコードとの照合を行い、エラーを自動訂正し、正規データとして保存する自動訂正手段と、前記自動訂正プログラム５により商品マスタコードとの照合が行えなかったエラーデータを画像イメージとして専用画面に出力して手動訂正を行う手動訂正手段を有する。【選択図】図１
2008065573.tif 000002
【特許請求の範囲】
【請求項１】
ＯＣＲによりＯＣＲシートに記入される商品コードの読み取り結果に起きる誤読を自動訂正する注文カードのＯＣＲ読み取り結果自動訂正システムであって、
当該会社のＯＣＲシート記入項目に関連する商品マスタコードをデータベースに格納する手段と、
自動訂正プログラムによりＯＣＲによる読み取り後のデータと前記データベースに格納される商品マスタコードとの照合を行い、エラーを自動訂正し、正規データとして保存する自動訂正手段と、
前記自動訂正プログラムにより商品マスタコードとの照合が行えなかったエラーデータを画像イメージとして専用画面に出力して手動訂正を行う手動訂正手段を有する
ことを特徴とする注文カードのＯＣＲ読み取り結果自動訂正システム。
【請求項２】
前記自動訂正手段が、データベースに格納される商品コードには、素数を含む商品マスタコードを有し、自動訂正プログラムによりＯＣＲによる読み取り終了後のデータと前記データベースを利用した素数コードとの照合を計り、エラーを自動訂正し、正規データとして保存する
ことを特徴とする請求項１記載の注文カードのＯＣＲ読み取り結果自動訂正システム。
【請求項３】
前記ＯＣＲ読み取り後のデータをテキストファイルおよび画像ファイルに出力し、そのファイル形式を選択、または削除、あるいは追加する手段を有する
ことを特徴とする請求項１または２記載の注文カードのＯＣＲ読み取り結果自動訂正システム。
【発明の詳細な説明】
【技術分野】
【０００１】
本発明は、注文カードのＯＣＲ（Ｏｐｔｉｃａｌ  Ｃｈａｒａｃｔｅｒ  Ｒｅａｄｅｒ、以下「ＯＣＲ」と称する。）読み取り結果自動訂正システムに関する。詳しくは注文カードに記入された手書の商品コードのＯＣＲの読み取り結果に起きる誤読を自動訂正し、ＯＣＲ記入シートの読み取りをより省力で正確にすることを目的とした注文カードのＯＣＲ読み取り結果自動訂正システムに係るものである。
【背景技術】
【０００２】
ＯＣＲは、手書き文字や印字された文字を光学的に読み取り、前もって記憶されたパターンとの照合によって文字を特定し、文字データを入力する装置である。
【０００３】
また、通販などによるカタログ販売では、カタログに掲載される服、化粧品、食品などの各種商品には数字による商品コードが付され、この商品コードを注文カードに記載して注文するシステムとなっている。
【０００４】
そして注文を受けたメーカーは、注文カードに記載された商品コードをＯＣＲで読み取り、前もって記憶されたパターンとの照合によってコード（数字）を特定し、コンピューターによって商品コードを合致する商品を選出することにより商品を特定するシステムとなっている（例えば、特許文献１参照。）。
【０００５】
【特許文献１】特開２０００−２７６５５５号公報
【発明の開示】
【発明が解決しようとする課題】
【０００６】
しかしながらＯＣＲは手書き文字を光学的に読み取る文字認識装置であるが、手書きに伴う個人差による文字の癖などによるイレギュラーな文字の記し方により、現状では高い認識率を期待できない問題がある。
【０００７】
したがって、前記注文カードの商品コードのＯＣＲ自動読み取りでは、約５％程度の読み取りエラーが発生し、この読み取りエラーは、ＯＣＲ読み取り結果から画像出力することで画像を目視により確認して訂正可能だが、修正にいたるまでに再度の目視チェックを行う必要があり、ＯＣＲを利用する目的として省力化を実現することができない問題がある。
【０００８】
本発明は、以上の点に鑑みて創案されたものであって、ＯＣＲの読み取り結果に起きる誤読を自動訂正し、ＯＣＲ記入シートの読み取り結果をより正確にする注文カードのＯＣＲ読み取り結果自動訂正システムの提供を目的とする。
【課題を解決するための手段】
【０００９】
上記の目的を達成するために、本発明に係る注文カードのＯＣＲ読み取り結果自動訂正システムは、ＯＣＲによりＯＣＲシートに記入される商品コードの読み取り結果に起きる誤読を自動訂正する注文カードのＯＣＲ読み取り結果自動訂正システムにあって、当該会社のＯＣＲシート記入項目に関連する商品マスタコードをデータベースに格納する手段と、自動訂正プログラムによりＯＣＲによる読み取り後のデータと前記データベースに格納される商品マスタコードとの照合を行い、エラーを自動訂正し、正規データとして保存する自動訂正手段と、前記自動訂正プログラムにより商品マスタコードとの照合が行えなかったエラーデータを画像イメージとして専用画面に出力して手動訂正を行う手動訂正手段を有する。
【００１０】
ここで、ＯＣＲ読み取り後のデータを、自動訂正プログラムにより当該会社のＯＣＲシート記入項目に関連する商品マスタコードと照合を行い、エラーを自動訂正し、エラーデータを認識済み商品データに振り分け、さらにそのエラーデータを画像イメージとして専用画面に出力して手動訂正を行うことにより目視による手動訂正を減少させることが可能となる。
【００１１】
また、ＯＣＲ読み取り後のデータを、自動訂正プログラムにより当該会社のＯＣＲシート記入項目に関連する素数を含む商品マスタコードと照合を行い、エラーを自動訂正し、エラーデータを認識済み商品データに振り分けることにより、精度の高い自動訂正が可能となる。
【００１２】
なお、本発明における素数とは、１とその数自身以外に正の約数を持たない（つまり１とその数以外のどんな自然数によっても割り切れない）、１より大きな自然数のことである。
【発明の効果】
【００１３】
本発明によれば、ＯＣＲ読み取り後のデータをテキストファイルおよび画像ファイルに出力し、データベースを利用した素数コードとの照合を計り、「読み取り不能」および「誤読」と「エラーなし」の振り分けを行い、エラーがないデータは自動的に次工程へと進み、正規データとして保存するプログラムと、「読み取り不能」および「誤読」とみなされたデータは、出力した画像イメージ専用画面にて手動修正を行うことが可能となるために人的な目視でのチェックを必要最低限に抑えることができ、読み取り時間の効率化およびコスト削減が可能となる。
【発明を実施するための最良の形態】
【００１４】
以下、本発明の実施の形態を図面を参酌しながら説明し、本発明の理解に供する。
図１は、本発明を適用した注文カードのＯＣＲ読み取り結果自動訂正システム（以下、「本システム」と呼ぶ。）の一実施例を説明するためのシステム概念図である。
【００１５】
ここで示す本システムでは、素数を含む商品マスタコードが記入されたOCRシート１と、該OCRシート１に記入された商品マスタコードを読み取るためのOCR機器２と、素数を含むマスタコードが格納されるデータベース３と、前記OCR機器２によって読み取れなかったマスタコードが格納されるエラーデータベース４と、前記OCR機器２で得られたデータを格納されたマスタコードに自動訂正を行う自動照合訂正プログラム５と、前記OCR機器２および自動照合訂正プログラム５によって認識された商品マスタコードが格納される認証済み商品マスタコードデータベース６と、前記自動照合訂正プログラム５によって照合できなかった商品マスタコードが格納されるエラーデータベース４と、該エラーデータベース４に格納された商品マスタコードを目視によって照合し、訂正するための目視確認用データ出力機器７と、読み取り結果保存データベース８とから構成されるものである。
【００１６】
次に、注文カードのＯＣＲ読み取り結果自動訂正システムの作業行程を詳述する。
まず、OCRシート１は、例えば図２に示すように、住所および氏名並びに電話番号の記入欄と５桁の受注コードと数量および金額欄が印刷される。そして前記受注コード欄には注文する商品に付けられた５桁の受注番号を記入し、個数欄には、注文する商品の個数と金額欄には商品の単価と個数を掛け合せた金額が記入される。
【００１７】
そこで図１に示すように、OCRシート１に記入された５桁の商品コードをOCR機器２により光学的に読み取り、前もって記憶されたパターンとの照合によって商品コードを特定して認証済み商品データが認識済み商品マスタコードデータベース６に入力される。また、前記OCR機器２によって読み取れなかった商品コードデータは、エラーデータベース４に格納される。
【００１８】
そして認識済み商品マスタコードデータベース６及びエラーデータベース４内に格納された各OCRシート１に記入された商品コードは、自動照合訂正プログラム５によって素数を含むマスタコードが格納されるデータベース３に格納される商品コードとの照合を行い、該当する商品コードを選出して商品コードの訂正を行う。
【００１９】
前記自動照合訂正プログラム５によって認識された商品データは、認証済み商品マスタコードデータベース６に入力されて読み取り結果保存データベース８に格納される。
また、前記自動照合訂正プログラム５によって認識できなかった商品コードデータはエラーデータベース４に格納され、目視確認用データ出力機器７によって画像表示し、作業者が目視により訂正を行い、訂正された商品データは結果保存データベース８に格納される。
【００２０】
ここで、前記自動照合訂正プログラム５による本システムの一例を図３および図４のブロック図を参酌しながら説明する。
まず、図３に示すように、OCR機器によって読み取れなかった５桁の商品コードの一文字目が判読できなかった場合には、素数を含むマスタコードが格納されるデータベースから一文字目以外のコードが一致する商品コードが何種類あるか選出する。
【００２１】
例えば、一致する商品コードが一つである場合には、その商品コードであることが認証され、その商品コードに修正されて認証済み商品マスタコードデータベース６に入力される。また、一致する商品コードが０、あるいは２以上である場合には商品コードが特定できないためにエラー処理される。
【００２２】
次に、OCR機器によって読み取れなかった５桁の商品コードの２文字目が判読できなかった場合には、素数を含むマスタコードが格納されるデータベースから２文字目以外のコードが一致する商品コードが何種類あるか選出する。
【００２３】
例えば、一致する商品コードが一つである場合には、その商品コードであることが認識され、その商品コードに修正されて認識済み商品マスタコードデータベース６に入力される。また、一致する商品コードが０、あるいは２以上である場合には商品コードが特定できないためにエラー処理される。
【００２４】
このようにしてOCR機器によって読み取れなかった５桁の商品コードの３文字目、４文字目あるいは、５文字目が判読できない場合に、素数を含むマスタコードが格納されるデータベースからコードが一致する商品コードが何種類あるか選出し、一致する商品コードが一つである場合には、その商品コードであることが認識され、一致する商品コードが０、あるいは２以上である場合には商品コードが特定できないためにエラー処理される。
【００２５】
次に、図４に示すように、OCR機器によって正常に読み取られた４桁の商品コードが、素数を含むマスタコードが格納されるデータベースからの商品コードと一致しない場合の認識システムの一例を詳述する。
【００２６】
まず、１桁目が誤読であるかどうかを調べる。１桁目以外の３桁が一致する素数を有するマスタコードが格納されるデータベースから抽出する。そして抽出した数種の商品コードの単価と一致するものを選別し、単価が一致したものが１個である場合には、その商品コードに訂正して認証済み商品マスタコードデータベースに入力される。
【００２７】
また、単価が一致したものが２個以上ある場合には、商品コードが特定できないためにエラー処理され、単価が一致したものが０個の場合には、次の段階に進む。２桁目が誤読かどうかを調べる。２桁目以外の３桁が一致する素数を有するマスタコードが格納されるデータベースから抽出する。
【００２８】
そこで抽出された数種の商品コードから、更に単価が一致するものを抽出する。そして単価が一致したものが１個である場合には、その商品コードに訂正して認証済み商品マスタコードデータベースに入力され、単価が一致したものが２個以上ある場合には、商品コードが特定できないためにエラー処理される。
【００２９】
また、単価が一致したものが０個の場合には、次の段階に進む。３桁目が誤読かどうかを調べる。前記同様な処理が行われることとなり、最終段階として４桁目が誤読かどうか調べる場合には、４桁目以外の３桁が一致する素数を有するマスタコードが格納されるデータベースから抽出する。
【００３０】
そこで抽出された数種の商品コードから、更に単価が一致するものを抽出する。そして単価が一致したものが１個である場合には、その商品コードに訂正して認証済み商品マスタコードデータベースに入力され、単価が一致したものが２個以上、あるいは０個である場合には、商品コードが特定できないためにエラー処理される。
【００３１】
以上のようにして商品コードが特定された場合には、その商品コードに訂正して認証済み商品マスタコードデータベースに入力され、エラー処理された場合にはエラーデータベースに戻され、図１において詳述したように、目視確認用データ出力機器７によって画面表示し、目視による商品コードの訂正を行い、認証済み商品マスタコードデータベースに入力することにより、全ての前記記入済みOCRシートの読み取り結果を読み取り結果保存データベース８により正確に早く保存することが可能となる。
【図面の簡単な説明】
【００３２】
【図１】本発明を適用した注文カードのＯＣＲ読み取り結果自動訂正システムの一実施例を説明するためのシステム概念図である。
【図２】本発明を適用した注文カードの一例を示す説明図である。
【図３】本発明を適用した本システムの商品コードを特定するまでの行程を示すブロック説明図である。
【図４】本発明を適用した本システムの素数による商品コードを特定するまでの行程を示すブロック説明図である。
【符号の説明】
【００３３】
１      OCRシート
２      OCR機器
３      素数を含む商品マスタコードを格納するデータベース
４      エラーデータベース
５      自動照合訂正プログラム
６      認証済み商品データベース
７      目視確認用データ出力機器
８      読み取り結果保存データベース
【図１】
2008065573.tif 000003
【図２】
2008065573.tif 000004
【図３】
2008065573.tif 000005
【図４】
2008065573.tif 000006